(57)【要約】【課題】取り付け作業が容易であり、美観に優れた引戸用錠を提供すること。【解決手段】建築物等の開口部２に設けられている引戸２１に用いるための引戸用錠であって、引戸内側２１ａに設けた扉孔１１と、扉２１を閉鎖した状態において扉孔１１と対応する外側開口部縁２２ａに開口した縁孔１２と、縁孔１２の内部に摺動自在に設けられると共に、両端のそれぞれに各極を有する棒状磁石１３と、棒状磁石１３の一の磁極の磁界内へ交互に出入する磁極を有すると共に、内側開口部縁２２ａに設けられている操作部材１５とを有し、棒状磁石１３の磁極と操作部材１５の磁極とは間隔を隔てて配置されていることを特徴とする。【選択図】図３
2010084501.tif 000002
【特許請求の範囲】
【請求項１】
建築物等の開口部に設けられている引戸に用いるための引戸用錠であって、
引戸内側に設けた扉孔と、
扉を閉鎖した状態において前記扉孔と対応する外側開口部縁に開口した縁孔と、
縁孔の内部に摺動自在に設けられると共に、両端のそれぞれに各極を有する棒状磁石と、
前記棒状磁石の一の磁極における磁界内へ交互に出入する磁極を有すると共に、内側開口部縁に設けられている操作部材とを有し、
前記棒状磁石の磁極と前記操作部材の磁極とは間隔を隔てて配置されていることを特徴とする引戸用錠。
【請求項２】
前記縁孔の内側開口部は、非磁性体により封鎖されていることを特徴とする請求項１記載の引戸用錠。
【請求項３】
前記操作部材は内側開口部縁の表面に沿ってスライドするように支持されていることを特徴とする請求項１記載の引戸用錠。
【請求項４】
前記棒状磁石の磁極と反撥する磁極を有し、前記扉孔の位置に対応する扉の外側表面に押し当てることにより前記引戸用錠を開錠することが可能な開錠部材を有する請求項１記載の引戸用錠。
【発明の詳細な説明】
【技術分野】
【０００１】  本発明は、建築物等の引戸に用いる錠に関する。
【背景技術】
【０００２】  従来の引戸用錠は、引戸に孔を設け、引戸の枠体に閂状の錠部を設けた構成を有している。この引戸用錠は、引戸を閉め、閂状の錠部をスライドさせ、錠部の端部を引戸の孔に差し込むことにより施錠する。
【発明の開示】
【発明が解決しようとする課題】
【０００３】  しかし、上記のような引戸用錠は、引戸用錠を取付ける際に、引戸の孔の位置と、枠体に設けた錠部の端部の位置を厳密に一致させなければならず、取付け作業に時間がかかるという問題点がある。【０００４】  また、従来の引戸用錠は、引戸の孔や枠体の錠部が露出しており、引戸及び枠体の美観を損ねるという問題点がある。【０００５】  本発明は、取り付け作業が容易であり、美観に優れた引戸用錠を提供することを目的とする。
【課題を解決するための手段】
【０００６】  本発明に係る引戸用錠は、建築物等の開口部に設けられている引戸に用いるための引戸用錠であって、引戸内側に設けた扉孔と、扉を閉鎖した状態において前記扉孔と対応する外側開口部縁に開口した縁孔と、縁孔の内部に摺動自在に設けられると共に、両端のそれぞれに各極を有する棒状磁石と、前記棒状磁石の一の磁極における磁界内へ交互に出入する磁極を有すると共に、内側開口部縁に設けられている操作部材とを有し、前記棒状磁石の磁極と前記操作郎材の磁極とは間隔を隔てて配置されていることを特徴とする。【０００７】  さらに、本発明に係る引戸用錠は、前記縁孔の内側開口部が、非磁性体により封鎖されていることが好ましい。【０００８】  さらに、本発明に係る引戸用錠は、前記操作部材が、内側開口部縁の表面に沿ってスライドするように支持されていることが好ましい。【０００９】  さらに、本発明に係る引戸用錠は、前記棒状磁石の磁極と反撥する磁極を有し、前記扉孔の位置に対応する扉の外側表面に押し当てることにより前記引戸用錠を開錠することが可能な開錠部材を有することが好ましい。
【発明の効果】
【００１０】  請求項１記載の本発明によれば、棒状磁石の磁極と操作部材の磁極とは間隔を隔てて配置されているため、引戸用錠の取付け作業が極めて容易かつ迅速に行うことができる。即ち、扉の閉鎖状態にし、扉孔と縁孔とを連通するように一時に穿孔作業を行い、その後に操作部材を縁孔の内側開口部を封鎖する位置に非磁性体と操作部材を取付ける。従って、従来の閂状の錠部のように、引戸の孔の位置と、枠体に設けた錠部の端部の位置を厳密に一致させるような取付け作業を行う必要が無い。さらに、閂等が外部に露出していないため、美感に優れている。【００１１】  さらに、請求項２載の本発明によれば、縁孔の内側開口部が、非磁性体により封鎖されているため、操作部材の磁極と棒状磁石の磁極が直接接触せず、操作部材の円滑な操作を行うことができる。【００１２】  さらに、請求項３載の本発明によれば、操作部材が内側開口部縁の表面に沿ってスライドするように支持されているため、操作部材を操作しても引戸用錠の一部が突出するようなことがない。【００１３】  さらに、請求項４載の本発明によれば、扉孔の位置に対応する扉の外側表面に押し当てることにより引戸用錠を開錠することか可能な開錠部材を有しているため、緊急時において、外部から引戸用錠を開錠することができる。
【発明を実施するための最良の形態】
【００１４】  以下、図１ないし図６を参照しつつ本発明の実施形態について詳細に説明する。本実施形態の引戸用錠１は、建築物等の開口部２に設けられている引戸である扉２１に用いるための引戸用錠であって、引戸内側２１ａに設けた扉孔１１と、扉２１を閉鎖した状態において扉孔１１と対応する外側開口部縁２２ａに開口した縁孔１２と、縁孔１２の内部に摺動自在に設けられると共に、両端のそれぞれに各極を有する棒状磁石１３と、棒状磁石１３の一の磁極の磁界内へ交互に出入する磁極を有すると共に、内側開口部縁２２ｂに設けられている操作部材１５とを有し、棒状磁石１３の磁極と操作部材１５の磁極とは間隔を隔てて配置されていることを特徴とする。【００１５】  図１及び図２に示すように、引戸２１が設けられている開口部２の縁に引戸用錠１が設けられている。扉２１の引戸内側２１ａには扉孔１１設けられており、一方、開口部２の外側開口部縁２２ａには縁孔１２が開口している。この扉孔１１と縁孔１２は、引戸２１が完全に開口部２を閉鎖した状態において、互いに連通した状態になるように設けられている（図３参照）。そして、引戸用錠１の操作部材１５を操作すると、縁孔１２内部に収容されている棒状磁石１３が扉孔１１内へ挿入され、引戸用錠１が施錠状態となる（図４参照）。【００１６】  図３及び図４に示すように、引戸用錠１は、引戸２１の引戸内側２１ａに開口している扉孔１１と、扉孔１１の内部に設けられている扉穴スリーブ１１ａと、開口部外側縁２２ａに開口している縁孔１２と、縁孔１２の内部に設けられている縁孔スリーブ１２ａと、縁孔スリーブ１２ａの内部にその軸方向において摺動自在に収容されている棒状磁石１３と、縁孔１２の内側開口縁２２ｂ側の開口を封鎖している非磁性体１４と、操作部材１５に設けられている板状磁石１５ｂとを有している。【００１７】  扉孔１１の内部に設けられている扉孔スリーブ１１ａと、縁孔１２の内部に設けられている縁孔スリーブ１２ａは、何れも合成樹脂等による筒型の形状を有し、棒状磁石１３の直径よりも僅かに大きい。これらスリーブ１１ａ、１２ａは、棒状磁石１３の摺動を円滑にする目的を有している。【００１８】  扉孔スリーブ１１ａの内部には緩衝材１１ｂが設けられており、また、縁孔スリーブ１２ａの内部には緩衝材１２ｂが設けられている。これら緩衝材１１ｂ、１２ｂは、棒状磁石１３の摺動に伴う衝突音を低減するために設けられている。【００１９】  棒状磁石１３は円筒形状のネオジム磁石が好ましく、端部に両極が現われている。この棒状磁石１３は、縁孔１３の内部空間の軸方向における長さよりも若干短い全長を有し、縁孔１２の内側開口部縁２２ｂ側に引き寄せられている状態において、縁孔１３の内部空間に完全に収容された状態になる（図３参照）。また、棒状磁石１３は、扉孔１１の内部空間の軸方向における長さよりも十分に長い全長を有し、棒状磁石１３の突出部分が扉孔１１の内部空間に挿入された状態においても、突出していない部分が縁孔１３の内部空間内に収容された状態となる（図４参照）。【００２０】  縁孔１２の内側開口部縁２２ｂの表面は、非磁性体１４により封鎖されている。この非磁性体１４は、棒状磁石１３の磁極と操作部���１５の磁極とを間隔を隔てて配置するために設けられている。棒状磁石１３の磁極と操作部材１５の磁極が直接接触すると、操作部材１５をスライドさせることが著しく困難になるからである。【００２１】  非磁性体１４の表面側には、非磁性体１４の延在方向に沿ってスライド溝１４ａが形成されており、このスライド溝１４ａに操作部材１５がスライドするように支持されている。このため、操作部材１５は、内側開口部縁の表面２２ｂに沿ってスライド可能となる。また、非磁性体１４の上部には、鉄片１４ｂが内装されている。操作部材１５の上方位置へ移動した際、操作部材１５の板状磁石１５ｂの磁力によって鉄片１４ｂと引き合い、操作部材１５の上方位置への移動状態がそのまま維持される。【００２２】  操作部材１５は、ノブ１５ａと板状磁石１５ｂとから構成されている。板状磁石１５ｂはネオジム磁石が好ましく、その両端部に各磁極を有している。操作部材１５がスライドすることにより、棒状磁石１３の一端部の磁極における磁界内へ移動する。【００２３】  以下、本実施形態の作用効果を説明する。図３に示すように、操作部材１５が下方に位置する場合には、棒状磁石１３のＳ極が操作部材１５の板状磁石１５ｂのＮ極に引き寄せられるため、棒状磁石１３が縁孔１３の内部空間に完全に収容された状態になる。従って、扉２は開閉可能となる。なお、この状態において、棒状磁石１３のＳ極が操作部材１５の板状磁石１５ｂのＮ極は、間隔を隔てて配置されているため、両磁石が直接接触しないため、操作部材１５のスライド移動は容易である。【００２４】  次に、図４に示すように、扉２を閉鎖状態へ移動させ、操作部材１５を上方へスライド移動させると、棒状磁石１３のＳ極の磁界内へ操作部材１５の板状磁石１５ｂのＳ極の磁界が侵入し、両磁石が反撥し合うため、棒状磁石１３が縁孔１２の内部空間から突出する。そして、突出した棒状磁石１３の突出部分は、扉孔１１の内部空間へ挿入され、この状態において、扉２は施錠状態となる。【００２５】  開錠する場合には、操作部材１５を下方にスライド移動させる。棒状磁石１３のＳ極が操作部材１５の板状磁石１５ｂのＮ極に引き寄せられ、棒状磁石１３が縁孔１２の内部空間に引き込まれる。【００２６】  緊急時においては、図６に示すように、開錠部材３を扉孔１１の位置に対応する扉２の外側表面に押し当てることにより引戸用錠１を開錠することができる。この開錠部材３は、柄３１の端部に磁石３２が取付けられており、この磁石３２の表面側の磁極は、棒状磁石１３のＮ極と反撥するＮ極となっている。【００２７】  開錠部材３を扉孔１１の位置に対応する扉２の外側表面に押し当てると、棒状磁石１３は、縁孔１２の内部空間に押し戻され、板状磁石１５ｂのＮ極が棒状磁石１３のＳ極へ引き寄せられる。このため、操作部材１５が下方に移動し、開錠状態へ移行する。【００２８】  本実施形態の引戸用錠１は、棒状磁石１３の磁極と操作部材１５の磁極とは間隔を隔てて配置されているため、引戸用錠の取付け作業が極めて容易かつ迅速に行うことができる。即ち、扉の閉鎖状態にし、扉孔１１と縁孔１２とを連通するように一時に穿孔作業を行い、その後に操作部材１５を縁孔１２の内側開口部２２ｂを封鎖する位置に非磁性体１４と操作部材１５を取付ける。従って、従来の閂状の錠部のように、引戸の孔の位置と、枠体に設けた錠部の端部の位置を厳密に一致させるような取付け作業を行う必要が無い。さらに、本実施形態の引戸用錠１は、閂等が外部に露出していないため、美感に優れている。【００２９】  また、本実施形態の引戸用錠１は、縁孔の内側開口部が、非磁性体により封鎖されているため、操作部材１５の磁極と棒状磁石１３の磁極が直接接触せず、操作部材１５の円滑な操作を行うことができる。【００３０】  また、本実施形態の引戸用錠１は、操作部材１５が内側開口部縁２２ａの表面に沿ってスライドするように支持されているため、操作部材１５を操作しても引戸用錠１の一部が突出するようなことがない。【００３１】  また、本実施形態の引戸用錠１は、扉孔１１の位置に対応する扉２の外側表面に押し当てることにより引戸用錠１を開錠することが可能な開錠部材３を有しているため、緊急時において、外部から引戸用錠を開錠することができる。【００３２】  なお、本実施形態の操作部材１５は上下方向へスライドするが、水平方向にスライドさせることも可能である。また、本実施形態の操作部材１５はスライド移動するが、回動軸を中心に回動するように構成することも可能である。また、縁孔スリーブ１２ａに軸方向に延在する溝と、当該溝の外側縁２２ａ側を封鎖し、一方、棒状磁石１３の後端に突起を設け、この突起が当該溝を摺動するようにし、棒状磁石１３が縁孔１２から離脱することを防止することも可能である。
【図面の簡単な説明】
【００３３】
【図１】本発明に係る実施形態の引戸用錠１を取付けた開口部２の内側を示す説明図であり、扉２１の閉鎖状態を示している。
【図２】図１に示す引戸用錠１を取付けた開口部２の外側を示す説明図であり、扉２１の閉鎖状態を示している。
【図３】図１に示す引戸用錠１の断面説明図であり、開錠状態を示している。
【図４】図１に示す引戸用錠１の断面説明図であり、施錠状態を示している。
【図５】図１に示す引戸用錠１の非磁性体１４と操作部材１５の水平断面図である。
【図６】図１に示す引戸用錠１の断面説明図であり、操作部材１５による開錠状態を示している。
【符号の説明】
【００３４】１  引戸用錠
１１  扉孔
１１ａ  扉孔スリーブ
１１ｂ、１２ｂ  緩衝材
１２  縁孔
１２ａ  縁孔スリーブ
１３  棒状磁石
１４  非磁性体
１４ａ  スライド溝
１４ｂ  鉄片
１５  操作部材
１５ａ  ノブ
１５ｂ  板状磁石
２  開口部
２１  扉
２１ａ  引戸内側
２１ｂ  引戸外側
２２ａ  外側開口部縁
２２ｂ  内側開口部縁
３  開錠部材
３１  柄
３２  磁石
【図１】
2010084501.tif 000003
【図２】
2010084501.tif 000004
【図３】
2010084501.tif 000005
【図４】
2010084501.tif 000006
【図５】
2010084501.tif 000007
【図６】
2010084501.tif 000008